【手続補正書】
【提出日】平成31年1月18日(2019.1.18)
【手続補正１】
【補正対象書類名】特許請求の範囲
【補正対象項目名】全文
【補正方法】変更
【補正の内容】
【特許請求の範囲】
【請求項１】
装置本体と、
前記装置本体に設けられ、シートに画像を形成する画像形成手段と、
前記装置本体に設けられ、前記画像形成手段によって画像を形成されたシートを前記装置本体の外部に排出する第１シート排出手段と、
前記第１シート排出手段の上方に設けられ、前記画像形成手段によって画像を形成されたシートを前記装置本体の外部に排出する第２シート排出手段と、
前記画像形成手段によって画像を形成されたシートに対して処理を行う第１シート処理装置と、
前記第１シート処理装置と前記第１シート排出手段の間に装着され、前記第１シート排出手段から排出されたシートに対して処理を行った後、シートを前記第１シート処理装置に排出する第２シート処理装置と、
前記第１シート処理装置に設けられた第１支持部と、
前記第２シート排出手段のシート排出方向において前記第１支持部の上流側に、かつ、前記第２シート処理装置の上方に配置された第２支持部であって、前記第２シート排出手段によって前記装置本体の外部にそれぞれ排出されて積載される複数枚のシートを、前記第１支持部と共に支持する第２支持部と、
前記第１支持部及び前記第２支持部に支持される複数枚のシートの前記シート排出方向における後端に当接して前記後端の位置を規制する後端規制部と、を備えたことを特徴とする画像形成装置。
【請求項２】
前記第２支持部は、前記第１シート処理装置に支持されていることを特徴とする請求項１記載の画像形成装置。
【請求項３】
前記第２支持部は、前記第１支持部よりも前記シート排出方向における上流に突出する第１位置であって、前記第１シート排出手段と前記第１シート処理装置との間に配置された前記第２シート処理装置の上方に位置する第１位置と、前記第１位置よりも前記シート排出方向において下流に位置する第２位置との間で、前記第１シート処理装置に対して移動可能であることを特徴とする請求項１又は２記載の画像形成装置。
【請求項４】
前記第２支持部は、前記第１支持部から引き出し可能に設けられ、前記第２位置から前記シート排出方向における上流へ引き出されることで前記第１位置へ移動することを特徴とする請求項３記載の画像形成装置。
【請求項５】
前記第１シート処理装置は、前記第１シート排出手段から排出されるシートを前記第２シート処理装置を介して受け取る第１装着位置と、前記第２シート処理装置が装着されていない状態で、前記第１シート排出手段から排出されるシートを受け取る第２装着位置と、に装着可能であり、
前記第１シート処理装置が前記第２装着位置に装着されている場合、前記第２支持部は前記第２位置に位置決めされることを特徴とする請求項３又は４記載の画像形成装置。
【請求項６】
前記第２シート処理装置が前記第１シート排出手段と前記第２シート処理装置との間に装着されており、前記第２支持部が前記第１位置に位置する場合、前記第２支持部は前記装置本体の壁面に当接することを特徴とする請求項３乃至５の何れか１項に記載の画像形成装置。
【請求項７】
前記第１シート処理装置は、前記第１シート排出手段から排出されるシートを前記第２シート処理装置を介して受け取る第１装着位置と、前記第２シート処理装置が装着されていない状態で、前記第１シート排出手段から排出されるシートを受け取る第２装着位置と、に装着可能であり、
前記第２支持部は、前記第１支持部と共にスライド自在に前記第１シート処理装置に支持され、前記第１シート処理装置が前記第２装着位置に装着される場合には、前記第１装着位置に装着される場合に比べて前記シート排出方向における上流へスライドされることを特徴とする請求項１又は２記載の画像形成装置。
【請求項８】
前記第２支持部は、前記第２シート処理装置に設けられていることを特徴とする請求項１記載の画像形成装置。
【請求項９】
装置本体と、
前記装置本体に設けられ、シートに画像を形成する画像形成手段と、
前記装置本体に設けられ、前記画像形成手段によって画像を形成されたシートを前記装置本体の外部に排出する第１シート排出手段と、
前記第１シート排出手段の上方に設けられ、前記画像形成手段によって画像を形成されたシートを前記装置本体の外部に排出する第２シート排出手段と、
前記画像形成手段によって画像を形成されたシートに対して処理を行う第１シート処理装置と、
前記第１シート処理装置と前記第１シート排出手段の間に装着され、前記第１シート排出手段から排出されたシートに対して処理を行った後、シートを前記第１シート処理装置に排出する第２シート処理装置と、
前記第１シート処理装置に設けられた第１支持部と、
前記第２シート排出手段のシート排出方向において前記第１支持部の上流側に配置され、かつ、前記第２シート処理装置と一体に設けられた第２支持部であって、前記第２シート排出手段によって前記装置本体の外部にそれぞれ排出されて積載される複数枚のシートを、前記第１支持部と共に支持する第２支持部と、
前記第１支持部及び前記第２支持部に支持される複数枚のシートの前記シート排出方向における後端に当接して前記後端の位置を規制する後端規制部と、を備えたことを特徴とする画像形成装置。
【請求項１０】
前記第１支持部の前記シート排出方向における上流端の高さと、前記第２支持部の前記シート排出方向における下流端の高さとが揃っていることを特徴とする請求項８又は９記載の画像形成装置。
【請求項１１】
前記第１シート処理装置を前記シート排出方向に沿って移動自在に保持する保持手段を備えることを特徴とする請求項１乃至１０の何れか１項に記載の画像形成装置。
【請求項１２】
前記第１シート処理装置は、シートに綴じ処理を行い、前記第２シート処理装置はシートにパンチ処理を行うことを特徴とする請求項１乃至１１の何れか１項に記載の画像形成装置。
【請求項１３】
前記第１シート処理装置は、前記第１シート排出手段から排出されるシートを前記第２シート処理装置を介して受け取る第１装着位置と、前記第２シート処理装置が装着されていない状態で、前記第１シート排出手段から排出されるシートを受け取る第２装着位置と、に装着可能であることを特徴とする請求項１乃至１２の何れか１項に記載の画像形成装置。
【請求項１４】
原稿の画像を読み取る画像読取装置を備え、
前記画像形成手段と、前記画像読取装置との間の空間に、前記第１シート処理装置及び前記第２シート処理装置が装着されることを特徴とする請求項１乃至１３の何れか１項に記載の画像形成装置。
【請求項１５】
装置本体と、前記装置本体に設けられ、シートに画像を形成する画像形成手段と、前記装置本体に設けられ、前記画像形成手段によって画像を形成されたシートを前記装置本体の外部に排出する第１シート排出手段と、前記第１シート排出手段の上方に設けられ、前記画像形成手段によって画像を形成されたシートを前記装置本体の外部に排出する第２シート排出手段と、を備えた画像形成装置に装着されるシート処理装置であって、
前記第１シート排出手段から排出されたシートを受け入れる受け入れ口と、
前記受け入れ口が受け入れたシートを処理する処理部と、
前記受け入れ口とは反対側に設けられ、前記処理部によって処理されたシートが排出される排出部と、
前記受け入れ口よりも上方に設けられ、前記第２シート排出手段によって前記装置本体の外部に排出されて積載される複数枚のシートを支持する支持部と、を有し、
前記支持部は、前記支持部の一部が水平方向において前記受け入れ口よりも前記排出部とは反対側となる位置に移動することができ、かつ、
前記支持部に支持される前記複数枚のシートの、前記第２シート排出手段のシート排出方向における後端が、後端規制部によって規制されるように構成されていることを特徴とするシート処理装置。
【請求項１６】
前記支持部は前記処理部に対してスライド移動自在であることを特徴とする請求項１５記載のシート処理装置。
【請求項１７】
前記シート処理装置は、前記第１シート排出手段によって排出されたシートを受け取ってシートを処理する第２シート処理装置が前記装置本体に装着された状態で、前記第２シート処理装置から送られてきたシートを前記受け入れ口を介して受け入れる位置に配置可能であることを特徴とする請求項１５又は１６記載のシート処理装置。
【請求項１８】
前記シート処理装置はシートに綴じ処理を行い、前記第２シート処理装置はシートにパンチ処理を行うことを特徴とする請求項１７記載のシート処理装置。
【手続補正２】
【補正対象書類名】明細書
【補正対象項目名】発明の名称
【補正方法】変更
【補正の内容】
【発明の名称】画像形成装置及びシート処理装置
【手続補正３】
【補正対象書類名】明細書
【補正対象項目名】０００１
【補正方法】変更
【補正の内容】
【０００１】
本発明は、シートに画像を形成する画像形成装置、及び画像形成装置の装置本体に装着されるシート処理装置に関する。
【手続補正４】
【補正対象書類名】明細書
【補正対象項目名】０００９
【補正方法】変更
【補正の内容】
【０００９】
そこで、本発明は、装置の省スペース化及び低コスト化が可能な画像形成装置を提供することを目的とするものである。
【手続補正５】
【補正対象書類名】明細書
【補正対象項目名】００１０
【補正方法】変更
【補正の内容】
【００１０】
本発明の一態様は、画像形成装置において、装置本体と、前記装置本体に設けられ、シートに画像を形成する画像形成手段と、前記装置本体に設けられ、前記画像形成手段によって画像を形成されたシートを前記装置本体の外部に排出する第１シート排出手段と、前記第１シート排出手段の上方に設けられ、前記画像形成手段によって画像を形成されたシートを前記装置本体の外部に排出する第２シート排出手段と、前記画像形成手段によって画像を形成されたシートに対して処理を行う第１シート処理装置と、前記第１シート処理装置と前記第１シート排出手段の間に装着され、前記第１シート排出手段から排出されたシートに対して処理を行った後、シートを前記第１シート処理装置に排出する第２シート処理装置と、前記第１シート処理装置に設けられた第１支持部と、前記第２シート排出手段のシート排出方向において前記第１支持部の上流側に、かつ、前記第２シート処理装置の上方に配置された第２支持部であって、前記第２シート排出手段によって前記装置本体の外部にそれぞれ排出されて積載される複数枚のシートを、前記第１支持部と共に支持する第２支持部と、前記第１支持部及び前記第２支持部に支持される複数枚のシートの前記シート排出方向における後端に当接して前記後端の位置を規制する後端規制部と、を備えたことを特徴とするものである。
本発明の他の一態様は、画像形成装置において、装置本体と、前記装置本体に設けられ、シートに画像を形成する画像形成手段と、前記装置本体に設けられ、前記画像形成手段によって画像を形成されたシートを前記装置本体の外部に排出する第１シート排出手段と、前記第１シート排出手段の上方に設けられ、前記画像形成手段によって画像を形成されたシートを前記装置本体の外部に排出する第２シート排出手段と、前記画像形成手段によって画像を形成されたシートに対して処理を行う第１シート処理装置と、前記第１シート処理装置と前記第１シート排出手段の間に装着され、前記第１シート排出手段から排出されたシートに対して処理を行った後、シートを前記第１シート処理装置に排出する第２シート処理装置と、前記第１シート処理装置に設けられた第１支持部と、前記第２シート排出手段のシート排出方向において前記第１支持部の上流側に配置され、かつ、前記第２シート処理装置と一体に設けられた第２支持部であって、前記第２シート排出手段によって前記装置本体の外部にそれぞれ排出されて積載される複数枚のシートを、前記第１支持部と共に支持する第２支持部と、前記第１支持部及び前記第２支持部に支持される複数枚のシートの前記シート排出方向における後端に当接して前記後端の位置を規制する後端規制部と、を備えたことを特徴とするものである。
本発明のさらに他の一態様は、シート処理装置において、装置本体と、前記装置本体に設けられ、シートに画像を形成する画像形成手段と、前記装置本体に設けられ、前記画像形成手段によって画像を形成されたシートを前記装置本体の外部に排出する第１シート排出手段と、前記第１シート排出手段の上方に設けられ、前記画像形成手段によって画像を形成されたシートを前記装置本体の外部に排出する第２シート排出手段と、を備えた画像形成装置に装着されるシート処理装置であって、前記第１シート排出手段から排出されたシートを受け入れる受け入れ口と、前記受け入れ口が受け入れたシートを処理する処理部と、前記受け入れ口とは反対側に設けられ、前記処理部によって処理されたシートが排出される排出部と、前記受け入れ口よりも上方に設けられ、前記第２シート排出手段によって前記装置本体の外部に排出されて積載される複数枚のシートを支持する支持部と、を有し、前記支持部は、前記支持部の一部が水平方向において前記受け入れ口よりも前記排出部とは反対側となる位置に移動することができ、かつ、前記支持部に支持される前記複数枚のシートの、前記第２シート排出手段のシート排出方向における後端が、後端規制部によって規制されるように構成されていることを特徴とするものである。
【手続補正６】
【補正対象書類名】明細書
【補正対象項目名】００１１
【補正方法】変更
【補正の内容】
【００１１】
本発明によれば装置の省スペース化及び低コスト化が可能となる。
【手続補正７】
【補正対象書類名】明細書
【補正対象項目名】００３４
【補正方法】変更
【補正の内容】
【００３４】
また、パンチモードが設定されず（Ｓ２のＮ）、ステイプル処理も設定されていない場合（Ｓ６のＮ）、制御部２９は、下部排紙トレイ１９に排出するかを判断する（Ｓ７）。そして、下部排紙トレイ１９にシートを積載する場合は（Ｓ７のＹ）、パンチ処理及びステイプル処理を行うことなく、シートをパンチユニット２２及びステイプルユニット１８を通過させた後、下部排紙トレイ１９に排出する（Ｓ５）。
【手続補正８】
【補正対象書類名】明細書
【補正対象項目名】００４４
【補正方法】変更
【補正の内容】
【００４４】
なお、例えば、ステイプルユニット１８とパンチユニット２２の間にジャムが発生した場合、ジャム処理のため、図９に示すようにステイプルユニット１８をシート排出方向下流に移動させる。ここで、ステイプルユニット１８を移動させても、上部排紙トレイ２４には後端規制部２４ａが設けられているので上部排紙トレイ２４に積載されたシートが落下することはない。
【手続補正９】
【補正対象書類名】明細書
【補正対象項目名】００４９
【補正方法】変更
【補正の内容】
【００４９】
１…フルカラーレーザビームプリンタ、１Ａ…プリンタ本体（画像形成装置本体）、１Ｂ…画像形成部、１２…第１排出ローラ対（第１シート排出手段）、１４…第２排出ローラ対（第２シート排出手段）、１７…画像読取装置、１８…ステイプルユニット（第１シート処理装置）、２０…上部排紙トレイ（シート積載手段、第１支持部）、２１…スライドレール（保持手段）、２２…パンチユニット（第２シート処理装置）、２３…引き出し部材（シート支持部材、第２支持部）、２３ａ…後端規制部、２４…上部排紙トレイ（シート積載手段、第１支持部、第２支持部）、２４ａ…後端規制部、２５…上部排紙トレイ（第１支持部）、２６…積載部（シート積載手段、第２支持部）、５０…内壁面（シート排出方向上流側の壁面）、Ｐ…排紙空間、Ｓ…シート